(57)【要約】【課題】フレキシブル回路基板からのノイズの発生を低減させることが可能な技術を提供することにある。【解決手段】表示装置は、表示パネルと、前記表示パネルに接続された第1フレキシブル回路基板と、を含む。前記第1フレキシブル回路基板は、差動信号が入力される複数の第１配線と、データ信号が入力される複数の第２配線と、第１接地電位配線と、第２接地電位配線と、前記第１接地電位配線に接続された第１シールド配線と、前記第２接地電位配線に接続された第２シールド配線と、を含む。前記複数の第１配線は、前記第１シールド配線で覆われ、前記複数の第２配線は、前記第２シールド配線で覆われる。【選択図】図７
2020027843.tif 000002
【特許請求の範囲】
【請求項１】
表示パネルと、
前記表示パネルに接続された第1フレキシブル回路基板と、を含み、
前記第1フレキシブル回路基板は、
差動信号が入力される複数の第１配線と、
データ信号が入力される複数の第２配線と、
第１接地電位配線と、
第２接地電位配線と、
前記第１接地電位配線に接続された第１シールド配線と、
前記第２接地電位配線に接続された第２シールド配線と、を含み、
前記複数の第１配線は、前記第１シールド配線で覆われ、
前記複数の第２配線は、前記第２シールド配線で覆われる、
表示装置。
【請求項２】
請求項１において、
前記第２シールド配線は、前記第１シールド配線とオーバーラップしている、表示装置。
【請求項３】
請求項２において、
前記第２接地電位配線および前記複数の第２配線は、平面視において、前記第１接地電位配線および前記複数の第１配線の外側にある、表示装置。
【請求項４】
請求項３において、
前記第1フレキシブル回路基板は、折り曲げ部を有し、
前記折り曲げ部において、前記第２シールド配線は開口部を有する、表示装置。
【請求項５】
請求項４において、さらに、
第２フレキシブル回路基板と、
プリント回路基板と、を含み、
前記表示パネル、前記第２フレキシブル回路基板、前記プリント回路基板および前記第１フレキシブル回路基板は、この順序で接続される、表示装置。
【請求項６】
請求項５において、
前記第１フレキシブル回路基板は、ホスト装置に接続され、
前記差動信号、前記データ信号、および、前記第１接地電位配線および前記第２接地電位配線に供給される接地電位は、前記ホスト装置から供給される、表示装置。
【請求項７】
表示パネルと、
前記表示パネルに接続された第1フレキシブル回路基板と、を含み、
前記第1フレキシブル回路基板は、
交流信号が入力される複数の第１配線と、
データ信号が入力される複数の第２配線と、
第１基準電位配線と、
第２基準電位配線と、
前記第１基準電位配線に接続された第１シールド配線と、
前記第２基準電位配線に接続された第２シールド配線と、を含み、
前記複数の第１配線は、前記第１シールド配線で覆われ、
前記複数の第２配線は、前記第２シールド配線で覆われる、
表示装置。
【請求項８】
請求項７において、
前記第２シールド配線は、前記第１シールド配線とオーバーラップしている、表示装置。
【請求項９】
請求項８において、
前記第1フレキシブル回路基板は、折り曲げ部を有し、
前記折り曲げ部において、前記第２シールド配線は開口部を有する、表示装置。
【請求項１０】
交流信号が入力される複数の第１配線と、
データ信号が入力される複数の第２配線と、
第１の基準電位が供給される第１基準電位配線と、
第２の基準電位が供給される第２基準電位配線と、
前記第１基準電位配線に接続された第１シールド配線と、
前記第２基準電位配線に接続された第２シールド配線と、を含み、
前記複数の第１配線は、前記第１シールド配線で覆われ、
前記複数の第２配線は、前記第２シールド配線で覆われる、
配線基板。
【請求項１１】
請求項１０において、
前記第２シールド配線は、前記第１シールド配線とオーバーラップしている、配線基板。
【請求項１２】
請求項１１において、
折り曲げ部を有し、
前記折り曲げ部において、前記第２シールド配線は開口部を有する、配線基板。
【発明の詳細な説明】
【技術分野】
【０００１】
本発明は表示装置および配線基板に関する。
【背景技術】
【０００２】
表示装置は、ホスト装置との接続にフレキシブル回路基板を用いるものがある。フレキシブル回路基板におけるノイズ対策として、シールド層を設ける技術が提案されている（たとえば、特開２００９−１３０１９８号公報、特開２０１０−１５４４９２号公報）。
【先行技術文献】
【特許文献】
【０００３】
【特許文献１】特開２００９−１３０１９８号公報
【特許文献２】特開２０１０−１５４４９２号公報
【発明の概要】
【発明が解決しようとする課題】
【０００４】
本発明の目的は、フレキシブル回路基板からのノイズの発生を低減させることが可能な技術を提供することにある。
【０００５】
その他の課題と新規な特徴は、本明細書の記述および添付図面から明らかになるであろう。
【課題を解決するための手段】
【０００６】
本発明のうち代表的なものの概要を簡単に説明すれば下記の通りである。
【０００７】
すなわち、表示装置は、表示パネルと、前記表示パネルに接続された第1フレキシブル回路基板と、を含む。前記第1フレキシブル回路基板は、差動信号が入力される複数の第１配線と、データ信号が入力される複数の第２配線と、第１接地電位配線と、第２接地電位配線と、前記第１接地電位配線に接続された第１シールド配線と、前記第２接地電位配線に接続された第２シールド配線と、を含む。前記複数の第１配線は、前記第１シールド配線で覆われ、前記複数の第２配線は、前記第２シールド配線で覆われる。
【０００８】
また、表示装置は、表示パネルと、前記表示パネルに接続された第1フレキシブル回路基板と、を含む。前記第1フレキシブル回路基板は、交流信号が入力される複数の第１配線と、データ信号が入力される複数の第２配線と、第１基準電位配線と、第２基準電位配線と、前記第１基準電位配線に接続された第１シールド配線と、前記第２基準電位配線に接続された第２シールド配線と、を含む。前記複数の第１配線は、前記第１シールド配線で覆われ、前記複数の第２配線は、前記第２シールド配線で覆われる。
【０００９】
また、配線基板は、交流信号が入力される複数の第１配線と、データ信号が入力される複数の第２配線と、第１の基準電位が供給される第１基準電位配線と、第２の基準電位が供給される第２基準電位配線と、前記第１基準電位配線に接続された第１シールド配線と、前記第２基準電位配線に接続された第２シールド配線と、を含む。前記複数の第１配線は、前記第１シールド配線で覆われ、前記複数の第２配線は、前記第２シールド配線で覆われる。
【図面の簡単な説明】
【００１０】
【図１】本実施形態の表示装置の外観を示す平面図である。
【図２】画素ＰＸの基本構成及び表示装置の等価回路を示す図である。
【図３】フレキシブルプリント回路基板の配線の構成例を示す図である。
【図４】ホスト装置の出力用の各外部端子とプリント回路基板の入力用の各外部端子との間を接続するフレキシブルプリント回路基板の各配線を示す図である。
【図５】フレキシブルプリント回路基板の各配線の構成を説明する平面図である。
【図６】図５のＡ−Ａ線に沿うフレキシブルプリント回路基板の模式的な断面図である。
【図７】図５のＢ−Ｂ線に沿うフレキシブルプリント回路基板の模式的な断面図である。
【図８】比較例に係るフレキシブルプリント回路基板の模式的な断面図である。
【図９】比較例に係るフレキシブルプリント回路基板の模式的な断面図である。
【発明を実施するための形態】
【００１１】
以下に、本発明の各実施の形態について、図面を参照しつつ説明する。
【００１２】
なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１３】
本実施形態においては、表示装置の一例として、液晶表示装置を開示する。この液晶表示装置は、例えば、スマートフォン、タブレット端末、携帯電話端末、パーソナルコンピュータ、テレビ受像装置、車載装置、ゲーム機器等の種々の装置に用いることができる。
【００１４】
なお、本明細書及び特許請求の範囲において、図面を説明する際の「上」、「下」などの表現は、着目する構造体と他の構造体との相対的な位置関係を表現している。具体的には、側面から見た場合において、第１基板（アレイ基板）から第２基板（対向基板）に向かう方向を「上」と定義し、その逆の方向を「下」と定義する。
【００１５】
また、「内側」及び「外側」とは、２つの部位における、表示領域を基準とした相対的な位置関係を示す。すなわち、「内側」とは、一方の部位に対し相対的に表示領域に近い側を指し、「外側」とは、一方の部位に対し相対的に表示領域から遠い側を指す。ただし、ここで言う「内側」及び「外側」の定義は、液晶表示装置を折り曲げていない状態におけるものとする。
【００１６】
「表示装置」とは、表示パネルを用いて映像を表示する表示装置全般を指す。「表示パネル」とは、電気光学層を用いて映像を表示する構造体を指す。例えば、表示パネルという用語は、電気光学層を含む表示セルを指す場合もあるし、表示セルに対して他の光学部材（例えば、偏光部材、バックライト、タッチパネル等）を装着した構造体を指す場合もある。ここで、「電気光学層」には、技術的な矛盾を生じない限り、液晶層、エレクトロクロミック（ＥＣ）層、有機ＥＬ、マイクロＬＥＤなどが含まれ得る。したがって、後述する実施形態について、表示パネルとして、液晶層を含む液晶パネルを例示して説明するが、上述した他の電気光学層を含む表示パネルへの適用を排除するものではない。
【００１７】
（表示装置の全体構成例）
図１は、本実施形態の表示装置ＤＳＰの外観を示す平面図である。表示装置ＤＳＰは、表示パネルＰＮＬと、フレキシブルプリント回路基板（第２フレキシブル回路基板）ＦＰＣ２と、表示駆動ＩＣチップＤＤＩＣと、プリント回路基板ＰＣＢと、フレキシブルプリント回路基板（第１フレキシブル回路基板）ＦＰＣ１と、を備えている。フレキシブルプリント回路基板ＦＰＣ１には、ホスト装置ＨＯＳＴが接続される。表示パネルＰＮＬ、フレキシブルプリント回路基板ＦＰＣ２、プリント回路基板ＰＣＢおよびフレキシブルプリント回路基板ＦＰＣ１は、この順序で接続されている。
【００１８】
表示パネルＰＮＬは、第１基板（アレイ基板ともいう）ＳＵＢ１と、第２基板（対向基板ともいう）ＳＵＢ２と、後述する液晶層ＬＣと、シール材ＳＥと、を備えている。
【００１９】
表示パネルＰＮＬは、画像を表示する表示部（表示領域）ＤＡと、表示部ＤＡを囲む額縁状の非表示部（非表示領域、周辺領域）ＮＤＡと、を備えている。表示部ＤＡは、第１方向Ｘ及び第２方向Ｙにマトリクス状に配置された複数の画素ＰＸを備えている。
【００２０】
第２基板ＳＵＢ２は、第１基板ＳＵＢ１に対向している。第１基板ＳＵＢ１は、第２基板ＳＵＢ２よりも第２方向Ｙに延出した実装部ＭＡを有している。シール材ＳＥは、非表示部ＮＤＡに位置し、第１基板ＳＵＢ１と第２基板ＳＵＢ２とを接着するとともに、液晶層ＬＣを封止している。第１基板ＳＵＢ１の下側には、バックライト装置が設けられてもよい。
【００２１】
フレキシブルプリント回路基板ＦＰＣ２の一端は実装部ＭＡに接続され、フレキシブルプリント回路基板ＦＰＣ２の他端はプリント回路基板ＰＣＢに接続されている。表示駆動ＩＣチップＤＤＩＣは、フレキシブルプリント回路基板ＦＰＣ２に実装されている。表示駆動ＩＣチップＤＤＩＣは、実装部ＭＡに実装されてもよい。表示駆動ＩＣチップＤＤＩＣは、画像を表示する表示モードにおいて画像表示に必要な信号を表示パネルＰＮＬへ出力する。
【００２２】
プリント回路基板ＰＣＢには、たとえば、電源用ＩＣチップＰＳＩＣやタイミングコントローラＩＣチップＴＣＯＮが実装される。
【００２３】
フレキシブルプリント回路基板ＦＰＣ１の一端は、プリント回路基板ＰＣＢに接続されている。フレキシブルプリント回路基板ＦＰＣ１の他端は、ホスト装置ＨＯＳＴが接続される。電源用ＩＣチップＰＳＩＣやタイミングコントローラＩＣチップＴＣＯＮは、フレキシブルプリント回路基板ＦＰＣ１に設けられた複数の配線を介して、ホスト装置ＨＯＳＴから電源電位、接地電位、アナログ信号、表示データ信号、複数の差動信号、デジタル信号、その他基準電位などを供給される。電源用ＩＣチップＰＳＩＣやタイミングコントローラＩＣチップＴＣＯＮは、ホスト装置ＨＯＳＴから供給された電源電位、接地電位、アナログ信号、表示データ信号、複数の差動信号などに基づいて、表示駆動ＩＣチップＤＤＩＣに対する制御信号、表示データ信号および電源、および、表示パネルＰＮＬの電源などを生成する。
【００２４】
フレキシブルプリント回路基板ＦＰＣ１の一端と他端の間には、折り曲げ部ＢＰが設けられる。フレキシブルプリント回路基板ＦＰＣ１を折り曲げ部ＢＰで折り曲げることで、ホスト装置ＨＯＳＴを第１基板ＳＵＢ１の下側に配置することができる。
【００２５】
本実施形態の表示パネルＰＮＬは、第１基板ＳＵＢ１の背面側からの光を選択的に透過させることで画像を表示する透過表示機能を備えた透過型、第２基板ＳＵＢ２の前面側からの光を選択的に反射させることで画像を表示する反射表示機能を備えた反射型、あるいは、透過表示機能及び反射表示機能を備えた半透過型のいずれであってもよい。
【００２６】
表示パネルＰＮＬは、基板主面の法線に沿った縦電界を利用する表示モード、基板主面に対して斜め方向に傾斜した傾斜電界を利用する表示モード、さらには、上記の横電界、縦電界、及び、傾斜電界を適宜組み合わせて利用する表示モードに対応したいずれの構成を備えていてもよい。
【００２７】
（表示装置の回路構成例）
図２は、画素ＰＸの基本構成及び表示装置ＤＳＰの等価回路を示す図である。複数の画素ＰＸ第１方向Ｘ及び第２方向Ｙにマトリクス状に配置されている。複数本の走査線Ｇ（Ｇ１、Ｇ２・・・）は、走査線駆動回路ＧＤに接続されている。複数本の信号線Ｓ（Ｓ１、Ｓ２・・・）は、信号線駆動回路ＳＤに接続されている。複数本の共通電極ＣＥ（ＣＥ１、ＣＥ２・・・）は、コモン電圧（Ｖｃｏｍ）の電圧供給部ＣＤに接続され、複数の画素ＰＸに亘って配置されている。１つの画素ＰＸは、１本の走査線と、１本の信号線と、１本の共通電極ＣＥと、に接続されている。なお、走査線Ｇ及び信号線Ｓは、必ずしも直線的に延出していなくてもよく、それらの一部が屈曲していてもよい。例えば、信号線Ｓは、その一部が屈曲していたとしても、第２方向Ｙに延出しているものとする。
【００２８】
各画素ＰＸは、スイッチング素子ＳＷ、画素電極ＰＥ、共通電極ＣＥ、液晶層ＬＣ等を備えている。スイッチング素子ＳＷは、例えば薄膜トランジスタ（ＴＦＴ）によって構成され、走査線Ｇ及び信号線Ｓと電気的に接続されている。走査線Ｇは、第１方向Ｘに並んだ画素ＰＸの各々におけるスイッチング素子ＳＷと接続されている。信号線Ｓは、第２方向Ｙに並んだ画素ＰＸの各々におけるスイッチング素子ＳＷと接続されている。画素電極ＰＥは、スイッチング素子ＳＷと電気的に接続されている。画素電極ＰＥの各々は、共通電極ＣＥと対向し、画素電極ＰＥと共通電極ＣＥとの間に生じる電界によって液晶層ＬＣを駆動している。保持容量ＣＳは、例えば、共通電極ＣＥと同電位の電極、及び、画素電極ＰＥと同電位の電極の間に形成される。
【００２９】
（フレキシブルプリント回路基板ＦＰＣ１の構成例）
図３は、フレキシブルプリント回路基板ＦＰＣ１の配線の構成例を示す図である。図４は、ホスト装置ＨＯＳＴの出力用の各外部端子とプリント回路基板ＰＣＢの入力用の各外部端子との間を接続するフレキシブルプリント回路基板ＦＰＣ１の各配線を示す図である。
【００３０】
図３には、ホスト装置ＨＯＳＴの出力用の各外部端子とプリント回路基板ＰＣＢとの間を接続するフレキシブルプリント回路基板ＦＰＣ１の各配線が示されている。図３に示すように、フレキシブルプリント回路基板ＦＰＣ１は、ホスト装置ＨＯＳＴから複数の差動信号が入力される複数の第１配線Ｌ１と、ホスト装置ＨＯＳＴからデータ信号、アナログ信号または電源電位が入力される複数の第２配線Ｌ２と、を有する。フレキシブルプリント回路基板ＦＰＣ１は、また、ホスト装置ＨＯＳＴから接地電位が入力される複数の第１接地電位配線ＬＧ１と、ホスト装置ＨＯＳＴから接地電位が入力される複数の第２接地電位配線ＬＧ２と、を有する。
【００３１】
フレキシブルプリント回路基板ＦＰＣ１は、また、複数の第１接地電位配線ＬＧ１に接続された第１シールド配線ＳＨＩ１と、複数の第２接地電位配線ＬＧ２に接続された第２シールド配線ＳＨＩ２と、を含む。第１シールド配線ＳＨＩ１は、複数の第１配線Ｌ１を覆う様に、複数の第１配線Ｌ１の配線の方向に沿って設けられる。第２シールド配線ＳＨＩ２は、複数の第２配線Ｌ２および第１シールド配線ＳＨＩ１を覆う様に設けられる。したがって、第２シールド配線ＳＨＩ２は、第１シールド配線ＳＨＩ１とオーバーラップしている。また、第２接地電位配線ＬＧ２および複数の第２配線Ｌ２は、平面視において、第１接地電位配線ＬＧ１および複数の第１配線Ｌ１の外側に設けられている。
【００３２】
ただし、図５において説明されるように、第２シールド配線ＳＨＩ２は、フレキシブルプリント回路基板ＦＰＣ１の折り曲げ部ＢＰには設けられない。つまり、第２シールド配線ＳＨＩ２は、フレキシブルプリント回路基板ＦＰＣ１の折り曲げ部ＢＰにおいて、開口部を有する。
【００３３】
ホスト装置ＨＯＳＴは、複数の差動信号を出力する複数の第１外部端子（（Ｓ１Ｐ、Ｓ１Ｎ）、（Ｓ２Ｐ、Ｓ２Ｎ）、（Ｓ３Ｐ、Ｓ３Ｎ）、（Ｓ４Ｐ、Ｓ４Ｎ））を有する。複数の第１外部端子（（Ｓ１Ｐ、Ｓ１Ｎ）、（Ｓ２Ｐ、Ｓ２Ｎ）、（Ｓ３Ｐ、Ｓ３Ｎ）、（Ｓ４Ｐ、Ｓ４Ｎ））は、複数の第１配線Ｌ１にそれぞれ接続される。ホスト装置ＨＯＳＴは、また、データ信号、アナログ信号または電源電位を出力する複数の第２外部端子Ａ１−Ａ１２を有する。複数の第２外部端子Ａ１−Ａ１２は、複数の第２配線Ｌ２にそれぞれ接続される。ホスト装置ＨＯＳＴは、接地電位を出力する複数の第１接地電位外部端子ＧＮＤ２と、接地電位を出力する複数の第２接地電位外部端子ＧＮＤ１と、を有する。複数の第１接地電位外部端子ＧＮＤ２は、複数の第１接地電位配線ＬＧ１にそれぞれ接続される。複数の第２接地電位外部端子ＧＮＤ１は、複数の第２接地電位配線ＬＧ２にそれぞれ接続される。
【００３４】
図３に例示的に示されるように、プリント回路基板ＰＣＢに実装されたタイミングコントローラＩＣチップＴＣＯＮは、複数の差動入力回路ＩＮ１−ＩＮ４を有している。各差動入力回路ＩＮ１−ＩＮ４は、差動回路と終端抵抗とを含む。たとえば、差動入力回路ＩＮ１は、ホスト装置ＨＯＳＴの一対の第１差動出力端子Ｓ１Ｐ、Ｓ１Ｎに接続され、差動入力回路ＩＮ２は、ホスト装置ＨＯＳＴの一対の第２差動出力端子Ｓ２Ｐ、Ｓ２Ｎに接続される。同様に、差動入力回路ＩＮ３は、ホスト装置ＨＯＳＴの一対の第３差動出力端子Ｓ３Ｐ、Ｓ３Ｎに接続され、差動入力回路ＩＮ４は、ホスト装置ＨＯＳＴの一対の第４差動出力端子Ｓ４Ｐ、Ｓ４Ｎに接続される。
【００３５】
図４に示すように、ホスト装置ＨＯＳＴの出力用の各外部端子と、ホスト装置ＨＯＳＴの出力用の各外部端子に接続されるプリント回路基板ＰＣＢの入力用の各外部端子とは同じ参照記号で示している。たとえば、ホスト装置ＨＯＳＴの複数の第１外部端子（（Ｓ１Ｐ、Ｓ１Ｎ）、（Ｓ２Ｐ、Ｓ２Ｎ）、（Ｓ３Ｐ、Ｓ３Ｎ）、（Ｓ４Ｐ、Ｓ４Ｎ））は、プリント回路基板ＰＣＢの入力用の第１外部端子（（Ｓ１Ｐ、Ｓ１Ｎ）、（Ｓ２Ｐ、Ｓ２Ｎ）、（Ｓ３Ｐ、Ｓ３Ｎ）、（Ｓ４Ｐ、Ｓ４Ｎ））にそれぞれ接続される。ホスト装置ＨＯＳＴの複数の第２外部端子Ａ１−Ａ１２は、プリント回路基板ＰＣＢの入力用の第２外部端子Ａ１−Ａ１２にそれぞれ接続される。ホスト装置ＨＯＳＴの複数の第１接地電位外部端子ＧＮＤ２は、プリント回路基板ＰＣＢの入力用の複数の第１接地電位外部端子ＧＮＤ２にそれぞれ接続され、ホスト装置ＨＯＳＴの複数の第２接地電位外部端子ＧＮＤ１は、プリント回路基板ＰＣＢの入力用の複数の第２接地電位外部端子ＧＮＤ１にそれぞれ接続される。他の構成は、図３と同じであり、その説明は省略する。
【００３６】
図５は、フレキシブルプリント回路基板ＦＰＣ１の各配線の構成を説明する平面図である。図６は、図５のＡ−Ａ線に沿うフレキシブルプリント回路基板ＦＰＣ１の模式的な断面図である。図７は、図５のＢ−Ｂ線に沿うフレキシブルプリント回路基板ＦＰＣ１の模式的な断面図である。なお、図５において、図面の簡素化のため、図３および図４で説明された各配線Ｌ１、Ｌ２、ＬＧ１、ＬＧ２は、プリント回路基板ＰＣＢの入力用の各外部端子を示す参照場記号の横側(または、上側)に記載している。また、図６および図７の左側において、配線Ｌ２の数は、図面の簡素化のため、少なく描かれている。
【００３７】
図５において、第２シールド配線ＳＨＩ２は、フレキシブルプリント回路基板ＦＰＣ１の折り曲げ部ＢＰを挟んで、両側に設けられている。つまり、フレキシブルプリント回路基板ＦＰＣ１は、折り曲げ部ＢＰの部分において、開口部を有する。
【００３８】
第１シールド配線ＳＨＩ１は、第２シールド配線ＳＨＩ２の下層に配置されており、フレキシブルプリント回路基板ＦＰＣ１の配線の方向に沿ってほぼ全域に設けられ、複数の第１配線Ｌ１を覆っている。したがって、第２シールド配線ＳＨＩ２は、平面視において、第１シールド配線ＳＨＩ１とオーバーラップしている。
【００３９】
複数の第１配線Ｌ１は、図３および図４にも示されるように、複数の第１接地電位配線ＬＧ１の間に設けられている。また、第２接地電位配線ＬＧ２および複数の第２配線Ｌ２は、平面視において、複数の第１接地電位配線ＬＧ１および複数の第１配線Ｌ１の外側に設けられている。
【００４０】
図６および図７に示すように、フレキシブルプリント回路基板ＦＰＣ１の基板６０の下面に、各配線Ｌ１、Ｌ２、ＬＧ１、ＬＧ２が設けられる。
【００４１】
図６に示すように、折り曲げ部ＢＰにおいて、複数の第１配線Ｌ１の上側に位置する基板６０の表面の上側には、複数の第１配線Ｌ１の上を覆う様に、第１シールド配線ＳＨＩ１が設けられる。複数の第１配線Ｌ１は、複数の第１接地電位配線ＬＧ１の間に配置されている。第１シールド配線ＳＨＩ１の上面および側面は、絶縁層等の第１保護膜ＰＲ１で覆われており、第１保護膜ＰＲ１の上面には、絶縁層等の第２保護膜ＰＲ２が設けられる。また、フレキシブルプリント回路基板ＦＰＣ１の基板６０の下面に設けられた各配線Ｌ１、Ｌ２、ＬＧ１、ＬＧ２は、絶縁層等の第３保護膜ＰＲ３によって覆われている。
【００４２】
図７に示すように、第１シールド配線ＳＨＩ１は複数の第１接地電位配線ＬＧ１に接続される。第２シールド配線ＳＨＩ２は、シールド配線部ＳＨＩ２０、ＳＨＩ２１、ＳＨＩ２２を含む。シールド配線部ＳＨＩ２１、ＳＨＩ２２は、基板６０の両側において、第１接地電位配線ＬＧ１と異なる複数の第２接地電位配線ＬＧ２に接続される。複数の第２配線Ｌ２の上側は、第２シールド配線ＳＨＩ２１、ＳＨＩ２２によって覆われる。シールド配線部ＳＨＩ２０は、第１保護膜ＰＲ１に設けたスルーホールＴＨ１を介してシールド配線部ＳＨＩ２１、ＳＨＩ２２に接続されており、結果的に、第２シールド配線ＳＨＩ２は、第１シールド配線ＳＨＩ１の上側に、第１シールド配線ＳＨＩ１を覆う様に設けられる。また、図７に示すように第１シールド配線ＳＨＩ１の少なくとも上面および側面は絶縁層等の第１保護膜ＰＲ１で覆われている。なお、第１保護膜に設けられたスルーホールＴＨ１を介して第１シールド配線ＳＨＩ１と第２シールド配線ＳＨＩ２を接続してもよい。また、図７に示すように、第２シールド配線ＳＨＩ２の上面および側面は、第２保護膜ＰＲ２で覆われており、フレキシブルプリント回路基板ＦＰＣ１の基板６０の下面に設けられた各配線Ｌ１、Ｌ２、ＬＧ１、ＬＧ２は、第３保護膜ＰＲ３によって覆われている。
【００４３】
図８および図９は、比較例に係るフレキシブルプリント回路基板ＦＰＣ１の模式的な断面図である。図８は、図６に対応するフレキシブルプリント回路基板ＦＰＣ１の折り曲げ部の断面図を示しており、図９は、図７に対応するフレキシブルプリント回路基板ＦＰＣ１の断面図である。なお、図８および図９において、フレキシブルプリント回路基板ＦＰＣ１の基板６０の下側に設けられる各配線は、図６および図７と同じである。
【００４４】
図８に示すように、比較例においては、フレキシブルプリント回路基板ＦＰＣ１の折り曲げ部には、図６で示されるような第１シールド配線ＳＨＩ１が設けられていない。また、図９に示すように、比較例においては、図７で示されるような第１シールド配線ＳＨＩ１および第２シールド配線ＳＨＩ２は設けられておらず、複数の第１接地電位配線ＬＧ１および複数の第２接地電位配線ＬＧ２に共通に接続されるシールド配線ＳＨＩＡが設けられているだけである。
【００４５】
図８および図９に示されるようなシールド配線の構成では、差動信号が入力される複数の第１配線Ｌ１の信号成分が、シールド配線ＳＨＩＡに伝達されて、ＥＭＩノイズが発生する場合があった。また、そのノイズが複数の第２配線Ｌ２に入力された信号に伝達され、表示装置が誤動作を起こしてしまう場合があった。
【００４６】
一方、本発明の実施態様においては、図５、図６および図７に示すように、差動信号が入力される複数の第１配線Ｌ１の上側は、フレキシブルプリント回路基板ＦＰＣ１の配線方向の全域において、複数の第１接地電位配線ＬＧ１に接続された第１シールド配線ＳＨＩ１によって覆われている。複数の第２配線Ｌ２の上側は、複数の第１接地電位配線ＬＧ１とは異なる複数の第２接地電位配線ＬＧ２に接続された第２シールド配線ＳＨＩ２によって覆われている。さらに、折り曲げ部ＢＰの位置以外において、第２シールド配線ＳＨＩ２は、第１シールド配線ＳＨＩ１を覆う様にオーバーラップして設けられる。
【００４７】
これにより、複数の第１配線Ｌ１に入力された差動信号に起因してＥＭＩノイズが発生しても、第２シールド配線ＳＨＩ２によって覆われている複数の第２配線Ｌ２は、ノイズの影響をそれほど受けることが無い。したがって、表示装置の誤動作が防止できる。
【００４８】
第１シールド配線ＳＨＩは、第２シールド配線ＳＨＩ２によって覆われているので、ＥＭＩノイズの発生を低減できる。
【００４９】
フレキシブルプリント回路基板ＦＰＣ１の折り曲げ部ＢＰの位置には、第１シールド配線ＳＨＩ１のみが存在し、第２シールド配線ＳＨＩ２は存在していない。つまり、第２シールド配線ＳＨＩ２は、折り曲げ部ＢＰの位置において、開口部を有している。したがって、フレキシブルプリント回路基板ＦＰＣ１の折り曲げ部ＢＰの位置での折り曲げが容易である。また、フレキシブルプリント回路基板ＦＰＣ１の折り曲げによって、第２シールド配線ＳＨＩ２に断線が発生しない。したがって、フレキシブルプリント回路基板ＦＰＣ１を折り曲げ部ＢＰの位置で折り曲げても、第２シールド配線ＳＨＩ２のシールド効果は維持することができる。
【００５０】
尚、複数の第１配線Ｌ１に入力される信号は差動信号に限らずその他のデジタル信号、あるいは交流信号であってもよい。また、第１シールド配線ＳＨＩ、第２シールド配線ＳＨＩ２は接地電位以外の基準電圧、電源電圧に接続してもよい。例えば、第１シールド配線ＳＨＩには第１基準電位を供給し、第２シールド配線ＳＨＩ２には第１基準電位と同等または異なる電位の第２基準電位を供給してもよい。
【００５１】
本発明の実施の形態として上述した表示装置を基にして、当業者が適宜設計変更して実施し得る全ての表示装置も、本発明の要旨を包含する限り、本発明の範囲に属する。
【００５２】
本発明の思想の範疇において、当業者であれば、各種の変更例及び修正例に想到し得るものであり、それら変更例及び修正例についても本発明の範囲に属するものと了解される。例えば、上述の各実施形態に対して、当業者が適宜、構成要素の追加、削除もしくは設計変更を行ったもの、又は、工程の追加、省略若しくは条件変更を行ったものも、本発明の要旨を備えている限り、本発明の範囲に含まれる。
【００５３】
また、本実施形態において述べた態様によりもたらされる他の作用効果について本明細書記載から明らかなもの、又は当業者において適宜想到し得るものについては、当然に本発明によりもたらされるものと解される。
【００５４】
上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００５５】
ＤＳＰ：表示装置
ＰＮＬ：表示パネル
ＦＰＣ１、ＦＰＣ２：フレキシブルプリント回路基板
ＰＣＢ：プリント回路基板
ＤＤＩＣ：表示駆動ＩＣチップ
ＰＳＩＣ：電源ＩＣチップ
ＴＣＯＮ：タイミングコントローラＩＣチップ
ＨＯＳＴ：ホスト装置
ＢＰ：折り曲げ部
ＳＨＩ１：第１シールド配線
ＳＨＩ２：第２シールド配線
ＬＧ１：第１接地電位配線
ＬＧ２：第２接地電位配線
Ｌ１：第１配線
Ｌ２：第２配線
【図１】
2020027843.tif 000003
【図２】
2020027843.tif 000004
【図３】
2020027843.tif 000005
【図４】
2020027843.tif 000006
【図５】
2020027843.tif 000007
【図６】
2020027843.tif 000008
【図７】
2020027843.tif 000009
【図８】
2020027843.tif 000010
【図９】
2020027843.tif 000011